(57)【要約】【課題】  使用前には密閉状態が保持され、二重容器の使用時に外気との間で開放状態となる注出キャップを提供する。【解決手段】  外容器と内容器からなる二重容器の口筒部に装着されるキャップ本体と、ヒンジを介してキャップ本体に連設される上蓋と、キャップ本体内で二重容器の開口を覆い、注出部を有する中栓と、中栓の注出部を閉塞可能とする弁体部とからなる注出キャップであって、キャップ本体は、環状周壁と、外気導入孔を有する天面壁と、天面壁から立設される注出筒とを備え、ヒンジと反対側の上蓋の一部に弱化凹部を設け、ヒンジと反対側の側周壁につば部を延設したことを特徴とする。【選択図】  図１
2020001784.tif 000002
【特許請求の範囲】
【請求項１】
外容器と内容器からなり、外容器をスクイズすることにより、内容器を減容させて内容液を注出する一方、スクイズが開放された後は、外容器と内容器との間に外気が導入されて、外容器のみを元の状態に復元する二重容器に使用され、二重容器の口筒部に装着されるキャップ本体と、ヒンジを介してキャップ本体に連設される上蓋と、キャップ本体内で二重容器の口筒部の開口を覆い、注出部を有する中栓と、中栓の注出部を閉塞可能とする弁体部とからなる注出キャップであって、
キャップ本体は、二重容器の口筒部に装着される環状周壁と、環状周壁の上端部から内方に延設され、外気導入孔を有する天面壁と、天面壁から立設される注出筒とを備え、
上蓋は、頂壁と、頂壁の周縁部に垂設される側周壁とを備え、
ヒンジと反対側の上蓋の一部に弱化凹部を設け、ヒンジと反対側の側周壁には、つば部を延設したことを特徴とする注出キャップ。
【請求項２】
ヒンジと反対側の側周壁には、外周の二箇所に連結部を設け、連結部からヒンジ部を介して下方に回動可能なつば部を延設し、つば部は使用前には下げられ、使用時に、つば部を持ち上げて弱化凹部を破断可能としたことを特徴とする請求項１に記載の注出キャップ。
【請求項３】
弱化凹部の外側の上蓋の縁端部に、側周壁を外方向に越える庇部と、庇部と側周壁の間に凹部とを設け、
つば部を持ち上げたときに、つば部の内側縁端部が凹部に進入し、使用時には、庇部を押し上げて弱化凹部を破断させるとともに、使用後の閉蓋時には、凹部と庇部とでつば部が保持されることを特徴とする請求項２に記載の注出キャップ。
【請求項４】
弁体部は、キャップ本体と中栓との間で保持され、弁体部には、中栓の注出部を覆い、スクイズの際に、注出部を開放して内容液の流通を可能とする逆止弁本体が設けられていることを特徴とする請求項１〜３のいずれかに記載の注出キャップ
【請求項５】
中栓は、二重容器の口筒部の開口を覆う隔壁部と、隔壁部の下面から垂設され口筒部に嵌合する脚部と、隔壁部を開口して設けられる注出部とからなり、
注出部に隣接し、内部で上下に移動可能な移動弁を有する筒状壁が設けられていることを特徴とする請求項１〜４のいずれかに記載の注出キャップ。
【請求項６】
弁体部に、スクイズの際に、外気導入孔からの外気を遮断し、スクイズの手を緩めたときに、外気導入可能な外気導入弁が設けられていることを特徴とする請求項１〜５のいずれかに記載の注出キャップ。
【発明の詳細な説明】
【技術分野】
【０００１】
本発明は、外容器と内容器とを有し、外容器の胴部をスクイズ（押圧）して、内容器内の内容液を押し出す二重容器に装着する注出キャップに関するものである。
【背景技術】
【０００２】
従来、各種の食品調味料をはじめ、化粧料や薬剤等の内容液を収納し、スクイズすることによって、内容液を注出するスクイズ容器が使用されている。
また、内容液の品質維持が可能なスクイズ容器として、内外二重の構造体とし、外容器の胴部をスクイズすることによって、内側に配設された内容器を減容させて内容液を注出し、それに伴って内圧が減少し、外容器と内容器との間に外気導入孔からの外気を取り込むことで外容器の胴部のみを元の形状に復元させるスクイズ容器も知られている（例えば、特許文献１参照）。
【０００３】
上記特許文献１記載のスクイズ容器用のキャップの場合、特に食品調味料においては、内容液の熱充填後に、温水等によるシャワーで冷却する際の冷却水がキャップ内に侵入しないように、上蓋とキャップ本体との嵌合部における嵌合を強くして気密性を高める必要がある。
しかしながら、気密性が高められている場合には、消費者が使用後に冷蔵庫へ保管し、再度使用する際に、温かいところに置いておく等の気温上昇によって、内容器と外容器の間の空気が膨張し、内容器に圧力がかかり、上蓋を開放したときに、内容液がキャップの注出筒から噴き出すおそれがあった。
【先行技術文献】
【特許文献】
【０００４】
【特許文献１】特開２０１４−１０５０１６号公報
【発明の概要】
【発明が解決しようとする課題】
【０００５】
本発明は、上記問題を解決することを課題とし、内容液の充填時の段階では上蓋とキャップ本体との気密性が保たれ、二重容器を開封後の保存状態の時には、外容器と内容器との間の空気を外部に開放し、内容液の注出筒からの噴出を防止できる注出キャップを提供することを目的とする。
【課題を解決するための手段】
【０００６】
本発明は、上記の課題を解決するため、注出キャップとして、外容器と内容器からなり、外容器をスクイズすることにより、内容器を減容させて内容液を注出する一方、スクイズが開放された後は、外容器と内容器との間に外気が導入されて、外容器のみを元の状態に復元する二重容器に使用され、二重容器の口筒部に装着されるキャップ本体と、ヒンジを介してキャップ本体に連設される上蓋と、キャップ本体内で二重容器の口筒部の開口を覆い、注出部を有する中栓と、中栓の注出部を閉塞可能とする弁体部とからなる注出キャップであって、キャップ本体は、二重容器の口筒部に装着される環状周壁と、環状周壁の上端部から内方に延設され、外気導入孔を有する天面壁と、天面壁から立設される注出筒とを備え、上蓋は、頂壁と、頂壁の周縁部に垂設される側周壁とを備え、ヒンジと反対側の上蓋の一部に弱化凹部を設け、ヒンジと反対側の側周壁には、つば部を延設したことを特徴とする構成を採用する。
【０００７】
注出キャップの具体的実施形態として、ヒンジと反対側の側周壁には、外周の二箇所に連結部を設け、連結部からヒンジ部を介して下方に回動可能なつば部を延設し、つば部は使用前には下げられ、使用時に、つば部を持ち上げて弱化凹部を破断可能としたことを特徴とする構成、また、弱化凹部の外側の上蓋の縁端部に、側周壁を外方向に越える庇部と、庇部と側周壁の間に凹部とを設け、つば部を持ち上げたときに、つば部の内側縁端部が凹部に進入し、使用時には、庇部を押し上げて弱化凹部を破断させるとともに、使用後の閉蓋時には、凹部と庇部とでつば部が保持されることを特徴とする構成を採用する。
【０００８】
さらに、注出キャップの具体的実施形態として、弁体部は、キャップ本体と中栓との間で保持され、弁体部には、中栓の注出部を覆い、スクイズの際に、注出部を開放して内容液の流通を可能とする逆止弁本体が設けられていることを特徴とする構成、中栓は、二重容器の口筒部の開口を覆う隔壁部と、隔壁部の下面から垂設され口筒部に嵌合する脚部と、隔壁部を開口して設けられる注出部とからなり、注出部に隣接し、内部で上下に移動可能な移動弁を有する筒状壁が設けられていることを特徴とする構成、また、弁体部に、スクイズの際に、外気導入孔からの外気を遮断し、スクイズの手を緩めたときに、外気導入可能な外気導入弁が設けられていることを特徴とする構成を採用する。
【発明の効果】
【０００９】
本発明の注出キャップは、内容液の充填時においては上蓋とキャップ本体との気密性が保たれるとともに、使用時につば部を持ち上げて上蓋の弱化凹部を破断させることによって、外容器と内容器との間の空気を外部に開放し、温度上昇による内容器への内圧を抑え、内容液が噴出するのを防止することができる。
また、持ち上げられたつば部は、そのまま、上蓋の把手部として上蓋の開閉を容易にすることができる。
【図面の簡単な説明】
【００１０】
【図１】本発明の注出キャップの閉蓋状態を示す図であり、（ａ）は上面図で、（ｂ）は側面断面図である。
【図２】本発明の注出キャップの閉蓋状態を示す図であり、（ａ）は図１（ｂ）の要部拡大図で、（ｂ）は正面図である。
【図３】本発明の注出キャップの開蓋状態を示す図であり、（ａ）は上面図で、（ｂ）は側面図である。
【図４】本発明の注出キャップを初めて使用するときに、つば部を持ち上げて弱化凹部を破断した状態を示す説明図であり、（ａ）は上面図で、（ｂ）は一部断面側面図で、（ｃ）は（ｂ）の要部拡大図である。
【図５】本発明の注出キャップの使用後の閉蓋状態を示す図であり、（ａ）は一部断面側面図であり、（ｂ）は（ａ）の要部拡大図である。
【発明を実施するための形態】
【００１１】
本発明の注出キャップとして、ヒンジキャップとして具体化された実施形態について、実施例を示した図面を参照して説明する。
【実施例】
【００１２】
図１において、Ａは二重容器、Ｂは二重容器Ａに装着されるキャップ本体、Ｄはキャップ本体ＢにヒンジＣを介して開閉可能に連設される上蓋、Ｅはキャップ本体Ｂの内側に装着され、二重容器Ａの開口を覆う中栓、Ｆはキャップ本体Ｂと中栓Ｅとの間に設けられる弁体部である。
【００１３】
図１に示すように、二重容器Ａは、上部に口筒部１が形成され、口筒部１の下方に形成される胴部２をスクイズすることにより弾性変形可能な外容器Ａ１と、外容器Ａ１の内側で外容器Ａ１に対して剥離可能に積層される内容器Ａ２とを有する積層剥離容器（デラミネーション容器）として形成され、外容器Ａ１の口筒部１の上端面３には、内容器Ａ２の端部４が積層されており、外容器Ａ１を閉塞している。
【００１４】
二重容器Ａは、口筒部１の外周面に、ねじ部（雄ねじ）５が形成され、さらに、口筒部１には、外容器Ａ１と内容器Ａ２との間に外気を吸入するための貫通開口６が設けられ、さらに、貫通開口６が位置する口筒部１の外周面には、ねじ部（雄ねじ）５を上下方向に切り欠く溝部７が形成されている。
外容器Ａ１の胴部２がスクイズされると、内容液がキャップ本体Ｂから外部に注出される一方、胴部２のスクイズが解除された後は、貫通開口６から外容器Ａ１と内容器Ａ２との間に外気が吸入されて内容器Ａ２を減容変形させたまま外容器Ａ１が復元する。なお、図示しないが、外容器Ａ１と内容器Ａ２との間には、接着層（縦方向に少なくとも1本）を設けてもよいし、接着層を設けなくても構わない。
これにより、注出された内容液と置換されて内容器Ａ２の内部に外気が吸入されることを防止して、内容液の外気との接触を抑制して、その品質を維持することができる。
なお、二重容器Ａは、例えば押出成形等によって二重（内外）に組み合わされた積層パリソンを形成し、この積層パリソンをブロー成形することで形成（押出ブロー成形）してもよい。また、射出成形等によって外容器Ａ１用のプリフォーム、および内容器Ａ２用のプリフォームを各別に形成しておき、これらを二重（内外）に組み合わせて一体に二軸延伸ブロー成形することで、二重容器Ａを形成してもよい。
外容器Ａ１および内容器Ａ２は合成樹脂製で、剥離可能な組み合わせであれば互いに同材質でもよいし、異材質でもよい。合成樹脂材料の一例としては、例えばＰＥＴ（ポリエチレンテレフタレート）、ＰＰ（ポリプロピレン）、ＰＥ（ポリエチレン）、ナイロン（ポリアミド）、ＥＶＯＨ（エチレン−ビニルアルコール共重合体）等が挙げられる。これらの合成樹脂材料の中から、外容器Ａ１と内容器Ａ２とは剥離可能（相溶性がない）となる組み合わせで形成される。
【００１５】
キャップ本体Ｂは、図１〜図３に示すように、二重容器Ａの口筒部１のねじ部（雄ねじ）５に螺合するように、内周面にねじ部（雌ねじ）１１を有する環状周壁１２と、環状周壁１２の上端部に設けられる、上蓋Ｄと係合する蓋係合部１３と、環状周壁１２の上端部から内方に延設される天面壁１４と、天面壁１４から段部を介して立設される注出筒１５とを備えている。
ヒンジＣと反対側の環状周壁１２の上部には、後述するつば部４２に係合する突部１７が設けられている。
【００１６】
また、天面壁１４には、少なくとも１箇所（好ましくは２箇所）に外気導入孔１６が設けられている。
外気導入孔１６を通して流入する外気は、後述する中栓Ｅの隔壁部２０の外縁部とキャップ本体Ｂの環状周壁１２との隙間、二重容器Ａの外容器Ａ１側と環状周壁１２との隙間、および口筒部１に設けられた貫通開口６を通して外容器Ａ１と内容器Ａ２との間に導入される。
【００１７】
中栓Ｅは、図１（ｂ）に示すように、二重容器Ａの口筒部１の開口を覆う隔壁部２０と、隔壁部２０の下面には、二重容器Ａの口筒部１の内容器Ａ２側の内面に嵌合する脚部２１と、内容液を流通させる開口の注出部２２と、注出部２２に隣接して設けられる筒状壁２３とを備え、筒状壁２３の内部には、球状の移動弁２４を有し、移動弁２４を下支えするために、筒状壁２３の下端部は縮径するとともに、上端部には突部などを設けて抜け止めがなされている。
【００１８】
筒状壁２３内の移動弁２４は、金属あるいは合成樹脂からなり、内容液の注出に際し、二重容器Ａが傾けられて、上部の開口に近接するように移動するが、内容液の注出を終えて、二重容器Ａを正立位置に戻したときには下部の開口に移動し、注出筒１５内に残留する内容液をサックバックさせて注出筒１５と隔壁部２０との空間に引き込み、液だれを防止する。
なお、移動弁２４は、球状でなくても、筒状壁２３内を上下に容易にスライドするものであれば、どのような形状でもよい。
【００１９】
弁体部Ｆは、キャップ本体Ｂの天面壁１４に設けられた溝部と隔壁部２０に設けられた溝部に嵌合する筒状部２６と、筒状部２６の内面から内方に延設され、中栓Ｅの隔壁部２０の注出部２２の開口を覆う逆止弁本体２７と、筒状部２６の外面から延設され、キャップ本体Ｂの天面壁１４の下面に離反可能に軽く当接あるいは近接する外気導入弁２８とを備えている。
また、筒状壁２３の上面の開口は、逆止弁本体２７で被覆されているが、完全に被覆していなくてもよい。
【００２０】
逆止弁本体２７は、筒状部２６と弾性アームを介して連結し、弾性アームは周方向に沿って複数（例えば、３つ）設けられている。弾性アームの数は３つに限定されず、また、内容液の移動を阻止する逆止弁であれば、上記構成以外の弁構造としてもよい。
また、外気導入弁２８は、弾性体からなり、外容器Ａ１をスクイズしたときに、外気導入孔１６を閉状態とし、スクイズを止めたときに、外気導入孔１６を開放し、外容器Ａ１と内容器Ａ２との間に外気を導入して、外容器Ａ１を初期形状に復帰させる。
【００２１】
上蓋Ｄは、図１〜図３に示すように、ヒンジＣを介してキャップ本体Ｂの環状周壁１２の外周上端に、回動自在に連設されており、頂壁３０と、頂壁３０の周縁部から垂設される側周壁３１とを備えている。
頂壁３０の内面から、閉蓋時に注出筒１５の内周面に外周面が当接するシール筒３２が垂設され、上蓋Ｄの閉蓋状態を維持することができる。
【００２２】
側周壁３１の下端部は、内周側に、キャップ本体Ｂの蓋係合部１３と係合する係合凹部３３が設けられ、さらに、その下部には係合凸部３４が設けられている。
係合凹部３３と係合凸部３４とで蓋係合部１３を包み込んで嵌合し、上蓋Ｄとキャップ本体Ｂとを密閉状態とする。
ヒンジＣと反対側の頂壁３０には、上蓋Ｄに亀裂を生じさせるために上方から弱化凹部３６が設けられ、さらに弱化凹部３６の外側には、頂壁３０の縁端部から側周壁３１を外方向に越える庇部３７が延設され、庇部３７と側周壁３１との間に凹部３８が設けられている。
【００２３】
また、ヒンジＣと反対側の側周壁３１には、左右２箇所の連結部４０を設け、連結部４０からヒンジ部４１を介して、上蓋Ｄとは接合していない半円盤状のつば部４２が延設され、つば部４２は、ヒンジ部４１を支点にして下方に回動することができ、未使用時には、図１および２に示すとおり、つば部４２を下方に回動させ、つば部４２の内側縁端部の中心位置に設けられた係合部４３がキャップ本体ＢのヒンジＣと反対側の環状周壁１２の上部に設けられた突部１７の下端に係合するとともに、つば部４２の下面側が環状周壁１２の外周面に当接ないしは近接するように設けられており、それによって上蓋Ｄとキャップ本体Ｂとがロックされて密閉状態を保つことができる。
【００２４】
次に、本実施例の使用態様と作用効果について説明する。
本実施例の注出キャップは、まず、図３に示すように、つば部４２が下がった状態の開状態の上蓋Ｄを、ヒンジＣを中心に回動させてキャップ本体Ｂに被せ、上蓋Ｄの係合凹部３３をキャップ本体Ｂの蓋係合部１３に嵌合させて、閉状態としておく。
その際、上蓋Ｄのシール筒３２は、キャップ本体Ｂの注出筒１５内に入り込み、シール筒３２の外周面が注出筒１５の内周面に当接する。
また、つば部４２の内側縁端部に設けられた係合部４３を、キャップ本体Ｂの環状周壁１２に設けられた突部１７に係合させておく。
【００２５】
次に、上記閉状態のキャップ本体Ｂの溝に、弁体部Ｆの筒状壁２３の上端部を嵌合し、次いで中栓Ｅに設けられた溝に、弁体部Ｆの筒状壁２３の下端部を嵌合することで、図１および図２に示す本発明の注出キャップとして、セット完了となる。
その際、中栓Ｅの隔壁部２０の上面に弁体部Ｆの逆止弁本体２７が当接するとともに、弁体部Ｆの外気導入弁２８は、キャップ本体Ｂの天面壁１４の下面に軽く当接するか近接する。
【００２６】
次いで、セットされた注出キャップのキャップ本体Ｂのねじ部（雌ねじ）１１を、内容器Ａ２に内容液が充填された二重容器Ａの口筒部１のねじ部（雄ねじ）５にねじ込み、キャップ本体Ｂを二重容器Ａに螺合させるとともに、中栓Ｅの脚部２１は二重容器Ａの口筒部１の上端部の内周側に嵌合し注出キャップが装着される。
本実施例では、つば部４２によって、上蓋Ｄとキャップ本体Ｂとが密閉状態を維持され、加熱された内容液によって、圧力が上昇しても、上蓋Ｄが開蓋することがなく、また、温水シャワーなどによる冷却、洗浄が行われても、冷却水などがキャップ内に侵入することがない。
【００２７】
二重容器Ａ内の内容液を使用するためには、図１の状態から、つば部４２に手指を掛けて引き上げ、キャップ本体Ｂの環状周壁１２の突部１７との係合を外し、さらに、図４に示すように、ヒンジ部４１を中心に回動させて持ち上げると、つば部４２の内側縁端部が上蓋Ｄの凹部３８に進入するとともに、つば部４２の縁端部上面で庇部３７を押し上げ、上蓋Ｄの頂壁３０に設けられた弱化凹部３６が破断される。
【００２８】
さらに、つば部４２を持って引き上げれば、上蓋Ｄは開放されるので、二重容器Ａを持った状態で傾け、外容器Ａ１の胴部２をスクイズすれば内容液を注出することができる。
その際、二重容器Ａ内の内容液は、スクイズによって弁体部Ｆの逆止弁本体２７を押し開け、開放された中栓Ｅの注出部２２からキャップ本体Ｂの注出筒１５を通して注出される。
また、外気導入弁２８がキャップ本体Ｂの天面壁１４に密着するので、スクイズによる圧力を内容器Ａ２に効率的に伝えることができる。
【００２９】
本実施例では、中栓Ｅに、内部に移動弁２４を設けた筒状壁２３が設けられており、スクイズによって、移動弁２４の自重および内容液が筒状壁２３内に流入し、移動弁２４は注出筒１５側に移動する。
【００３０】
二重容器Ａのスクイズを止めると、弁体部Ｆの逆止弁本体２７によって注出部２２を閉じて内容液の注出が止められ、さらに、二重容器Ａにかけられたスクイズの力を除いていくと、外気導入孔１６から外気が導入され、外気導入弁２８が開放されて、外容器Ａ１と内容器Ａ２との間に外気が入り込み、外容器Ａ１のみが速やかに初期状態に復帰する。
【００３１】
また、注出後、二重容器Ａの傾きを正立位置に戻すことで、筒状壁２３内で注出筒１５側に移動していた移動弁２４が、自重により二重容器Ａ側に移動し始め、隔壁部２０の上面に存在する残留内容液は、移動弁２４が移動することにより、内容液をサックバックさせて、注出筒１５と隔壁部２０との空間に引き込まれ、液だれが回避される。
【００３２】
使用後は、図５に示すように、上蓋Ｄのつば部４２を持って、上蓋Ｄをキャップ本体Ｂに嵌合させて閉蓋状態となり、その際、上蓋Ｄのつば部４２の内側縁端部が、凹部３８内に収まるとともに、庇部３７によって上から押さえられているので、つば部４２は持ち上げられた状態で保持される。
【００３３】
このような状態で、二重容器Ａが冷蔵庫内に保管され、再使用時において温かい場所に移動された場合、温度上昇によって、外容器Ａ１と内容器Ａ２との間の空気が温められて膨張しても、上蓋Ｄに設けられた弱化凹部３６の破断によって、外気との間で開放状態が保たれているので、上蓋Ｄを開放したときに内容液が飛び出すことがない。
また、持ち上げられたつば部４２は、上蓋Ｄの開閉時に把手部となって開け閉めが容易となる。
【００３４】
本実施例では、外気導入弁２８が設けられているが、外気導入弁２８をなくすことができる。その場合には、例えば中栓Ｅの外縁とキャップ本体Ｂとの間の外気導入路の断面を制限した溝部を設けることによって外気導入弁２８の代わりとすることができる。
また、本実施例では、キャップ本体Ｂの二重容器Ａへの装着は、ねじ部（雄ねじ）５とねじ部（雌ねじ）１１によって螺着されるものであるが、嵌合等による装着でもよい。
【００３５】
本実施例では、二重容器として、外容器と内容器との間が剥離可能な二重容器として説明したが、外容器と内容器とは剥離可能なものでなくてもよく、単純な二重容器であってもよい。
【産業上の利用可能性】
【００３６】
本発明の注出キャップは、上蓋のつば部を下げた状態で密閉状態を保つことができ、熱充填によっても上蓋が開蓋することがなく、また、温水シャワーによる冷却や洗浄によっても冷却水等がキャップ内に侵入することがなく、また、使用時につば部を持ち上げて上蓋の弱化凹部を破断させることによって、外気との間で開放状態となり、冷蔵庫に保管後の再使用時に、温度上昇による内容液の噴き出しを防止することができるので、特に食品や調味料などを充填する二重容器用の注出キャップとして好適である。
【符号の説明】
【００３７】
Ａ              二重容器
Ａ１            外容器
Ａ２            内容器
Ｂ              キャップ本体
Ｃ              ヒンジ
Ｄ              上蓋
Ｅ              中栓
Ｆ              弁体部
１              口筒部
２              胴部
３              上端面
４              端部
５              ねじ部（雄ねじ）
６              貫通開口
７              溝部
１１              ねじ部（雌ねじ）
１２              環状周壁
１３              蓋係合部
１４              天面壁
１５              注出筒
１６              外気導入孔
１７              突部
２０              隔壁部
２１              脚部
２２              注出部
２３              筒状壁
２４              移動弁
２６              筒状部
２７              逆止弁本体
２８              外気導入弁
３０              頂壁
３１              側周壁
３２              シール筒
３３              係合凹部
３４              係合凸部
３６              弱化凹部
３７              庇部
３８              凹部
４０              連結部
４１              ヒンジ部
４２              つば部
４３              係合部
【図１】
2020001784.tif 000003
【図２】
2020001784.tif 000004
【図３】
2020001784.tif 000005
【図４】
2020001784.tif 000006
【図５】
2020001784.tif 000007